(57)【要約】【課題】  杭を曲げることなく容易に地面から抜くことができる杭抜き具の提供。【解決手段】  杭Ｐに取り付けられる本体３と、本体３に下方へ向けてねじ込まれる操作棒５と、地面に載置され、操作棒５の下端部が当接される台座７とを備える。本体３は、一対の矩形板状の支持片９，１１により構成されており、ボルト３１により互いに固定可能とされる。各支持片９，１１の他端部中央部には、上下方向に貫通してネジ穴１９，２１が形成されており、ネジ穴１９，２１には、それぞれネジ棒状の操作棒５が上下方向に進退可能にねじ込まれている。杭Ｐに本体３が固定された状態で、操作棒５がねじ込まれ、操作棒５の下端部が地面に載置された台座７の受部３９に当接し、さらにねじ込むことで本体３が上昇すると共に杭Ｐも上昇して杭Ｐを抜くことができる。【選択図】      図８
2013044110.tif 000002
【特許請求の範囲】
【請求項１】
杭に締め付けて固定される本体と、
この本体に上下方向に沿って進退可能にねじ込まれ、地面または地面に載置された部材へ向けてねじ込まれることで、前記本体を杭と共に引き上げる操作棒と
を備えることを特徴とする杭抜き具。
【請求項２】
前記操作棒は、前記本体に２本設けられ、
各操作棒は、前記本体に固定される杭を挟んで杭から等距離に配置される
ことを特徴とする請求項１に記載の杭抜き具。
【請求項３】
前記本体は、２つの支持片により構成されており、杭を挟み込んで杭に固定される
ことを特徴とする請求項１または請求項２に記載の杭抜き具。
【請求項４】
地面に載置され、前記操作棒の下端部を受ける台座をさらに備える
ことを特徴とする請求項１から請求項３までのいずれかに記載の杭抜き具。
【発明の詳細な説明】
【技術分野】
【０００１】
本発明は、杭を抜くのに使用される杭抜き具に関するものである。
【背景技術】
【０００２】
従来、建設現場など多様な場所で杭が使用されており、作業終了後には杭を抜く場合がある。
【発明の概要】
【発明が解決しようとする課題】
【０００３】
しかしながら、従来は、手で引き抜いていたため重労働であると共に、強引に抜こうとすると杭が曲がるおそれがあった。
【０００４】
本発明は上記事情に鑑みてなされたものであり、その主たる目的は、杭を曲げることなく容易に抜くための杭抜き具を提供することにある。
【課題を解決するための手段】
【０００５】
本発明は、前記課題を解決するためになされたものであり、請求項１に記載の発明は、杭に締め付けて固定される本体と、この本体に上下方向に沿って進退可能にねじ込まれ、地面または地面に載置された部材へ向けてねじ込まれることで、前記本体を杭と共に引き上げる操作棒とを備えることを特徴とする杭抜き具である。
【０００６】
請求項２に記載の発明は、前記操作棒は、前記本体に２本設けられ、各操作棒は、前記本体に固定される杭を挟んで杭から等距離に配置されることを特徴とする請求項１に記載の杭抜き具である。
【０００７】
請求項３に記載の発明は、前記本体は、２つの支持片により構成されており、杭を挟み込んで杭に固定されることを特徴とする請求項１または請求項２に記載の杭抜き具である。
【０００８】
さらに、請求項４に記載の発明は、地面に載置され、前記操作棒の下端部を受ける台座をさらに備えることを特徴とする請求項１から請求項３までのいずれかに記載の杭抜き具である。
【発明の効果】
【０００９】
本発明の杭抜き具によれば、曲げることなく容易に地面から杭を抜くことができる。
【図面の簡単な説明】
【００１０】
【図１】本発明の杭抜き具の実施例１を示す斜視図である。
【図２】図１の杭抜き具の分解斜視図である。
【図３】図１の杭抜き具の本体を示す平面図である。
【図４】図１の杭抜き具の本体を示す正面図である。
【図５】図４のＡ―Ａ断面図である。
【図６】図１の杭抜き具が杭に取り付けられた状態を示す正面図である。
【図７】図１の杭抜き具が杭に取り付けられた状態を示す平面図である。
【図８】図１の杭抜き具が杭に取り付けられた状態を示す斜視図である。
【図９】本発明の杭抜き具の実施例２を示す斜視図である。
【図１０】図９の杭抜き具の本体を示す平面図である。
【図１１】図９の杭抜き具の本体を示す正面図である。
【図１２】図１１のＢ―Ｂ断面図である。
【図１３】図９の杭抜き具が杭に取り付けられた状態を示す正面図である。
【図１４】図９の杭抜き具が杭に取り付けられた状態を示す平面図である。
【図１５】図９の杭抜き具が杭に取り付けられた状態を示す斜視図である。
【発明を実施するための形態】
【００１１】
以下、本発明の杭抜き具の実施例について図面に基づいて具体的に説明する。
【実施例１】
【００１２】
図１および図２は、本発明の杭抜き具の実施例１を示す図であり、図１は斜視図であり、図２は分解斜視図である。なお、図１および図２では台座が省略されている。
また、図３〜図５は、図１の杭抜き具の本体を示す図であり、図３は平面図、図４は正面図、図５は図４のＡ―Ａ断面図である。
さらに、図６〜図８は、図１の杭抜き具が杭に取り付けられた状態を示す図であり、図６は正面図、図７は平面図、図８は斜視図である。
【００１３】
本実施例１の杭抜き具１は、杭Ｐに取り付けられる本体３と、この本体３に下方へ向けてねじ込まれる操作棒５と、地面に載置され、操作棒５の下端部が当接される台座７とを主要部に備える。
【００１４】
本実施例では、本体３は、一対の矩形板状の支持片９，１１により構成されている。
各支持片９，１１は、その一側端部同士を向き合わせた状態で配置される。
各支持片９，１１の一側端部の中央部には、略半円形状の溝１３，１５が上下方向に沿って形成されており、支持片同士がつき合わされて当接した状態では、図１に示すように、溝１３，１５により円形状の貫通穴１７が現出する。
また、各支持片９，１１の他側端部の前後方向中央部には、上下方向に貫通してネジ穴１９，２１が形成されている。
【００１５】
各支持片９，１１のネジ穴１９，２１には、それぞれネジ棒状の操作棒５が上下方向に進退可能にねじ込まれている。本実施例では、操作棒５は、軸部の長いボルトが使用される。
【００１６】
さらに、一方の支持片９には、前後各端部に、左右方向に沿って貫通穴２７，２７が形成されている。また、他方の支持片１１には、前後各端部に、左右方向に沿って貫通穴２９が形成されており、この貫通穴２９のうち、図４において左端部はネジ穴２９ａとされている。本実施例１では、各支持片９，１１が一側端部同士を向き合わせた状態で配置されて、一方の支持片９の貫通穴２７，２７から他方の支持片１１のネジ穴２９ａ，２９ａにそれぞれボルト３１，３１がねじ込まれることで、支持片９，１１同士が固定される。
【００１７】
台座７は、矩形板状とされ、その一端辺中央部から中心へ向けて矩形状の溝３７が、厚さ方向に貫通して形成されている。また、溝３７を挟んだ両端部には、上方へ突出して円柱状の受部３９が設けられている。受部３９の中央部には、下方へ突出して円錐状の凹部３９ａが形成されている。本実施例１では、受部３９，３９同士の離隔距離は、支持片９，１１同士が当接された状態における操作棒５，５の離隔距離と同じとされている。
【００１８】
このような構成の本実施例１の杭抜き具１により地面に打ち込まれた杭Ｐを抜く場合、まず、台座７の溝３７に杭Ｐを通して台座７を地面に載置する。そして、杭Ｐを挟み込むように各支持片９，１１を配置して、ボルト３１をねじ込んで本体３を杭Ｐに固定する。このように杭Ｐに本体３が固定された状態において、各操作棒５は、杭Ｐから等距離に配置されている。
【００１９】
次に、各支持片９，１１のネジ穴１９，２１に設けられた操作棒５，５を電動工具でねじ込む。操作棒５をねじ込んでいくことで、操作棒５の下端部が台座７の受部３９の凹部３９ａに当接し、この当接した状態から、さらに工具で操作棒５を回転させることで、本体３が上昇するのに伴って、杭Ｐも上昇して杭Ｐを引き抜くことができる。操作棒５をねじ込む際、２本の操作棒５，５を交互にねじ込んでいくことで、杭Ｐを垂直上方へ引き抜くことができる。
【００２０】
このように、本実施例１では、本体３に対して操作棒５を回転させることで、杭Ｐを容易に抜くことができ、また、曲げることなく杭を抜くことができ、杭を再使用することができる。
また、本実施例１では、杭Ｐに本体３を挟み込んで固定する構成であるので、杭Ｐに部品等が装着されている場合でも、各部品を外すことなく、装着することができる。
【実施例２】
【００２１】
次に、本発明の杭抜き具の実施例２について説明する。
【００２２】
図９は、本発明の杭抜き具の実施例２を示す斜視図である。なお、図９では台座が省略されている。
また、図１０〜図１２は、図９の杭抜き具の本体を示す図であり、図１０は平面図、図１１は正面図、図１２は図１１のＢ―Ｂ断面図である。
さらに、図１３〜図１５は、図９の杭抜き具が杭に取り付けられた状態を示す図であり、図１３は正面図、図１４は平面図、図１５は斜視図である。
【００２３】
本実施例２の杭抜き具５０は、杭Ｐに取り付けられる本体５１と、この本体５１に下方へ向けてねじ込まれる操作棒５３と、地面に載置され、操作棒５３の下端部が当接される台座７とを主要部に備える。
【００２４】
本実施例２では、本体５１は、杭Ｐに通される杭挿通部５５と、この杭挿通部５５に設けられる保持部５７とにより構成されている。
【００２５】
杭挿通部５５は、平面視略Ｃ字形の筒状体とされる。具体的には、杭挿通部５５は、上下方向に開口する円筒体の周壁の一部が、軸方向に切り欠かれた平面視略Ｃ字形とされ、その開口端部同士が、近接および離隔可能に撓み変形可能とされる。また、杭挿通部５５は、その開口両端部から外方へ延出して矩形板状の締付片６１，６３がそれぞれ形成されている。
【００２６】
この一対の締付片６１，６３のうち、一方の締付片６１には厚さ方向に貫通して丸穴６１ａが形成されている。また、他方の締付片６３には、一方の締付片６１の丸穴６１ａと同軸線上にネジ穴６３ａが形成されている。本実施例では、一方の締付片６１の丸穴６１ａからボルト６５が通されて、他方の締付片６３のネジ穴６３ａにねじ込まれることで締付片６１，６３同士が近接し、ひいては杭挿通部５５が若干縮径する。
【００２７】
杭挿通部５５には、開口部を挟んだ両側に矩形板状の腕部７１，７１が外方へ延出して設けられており、この腕部７１の先端部にそれぞれ保持部５７が設けられている。
【００２８】
各保持部５７は、断面略六角形状の柱状とされ、軸線を上下に配置した状態で腕部７１に固定されており、その中央部には、軸方向に沿ってネジ穴５７ａが形成されている。そして、各保持部５７には、ネジ棒状の操作棒５３が上下方向に進退可能にねじ込まれており、本実施例２では、実施例１と同様、軸部の長いボルトが使用されている。
台座７は、上記実施例１と同一の構成とされるので、説明は省略する。
【００２９】
本実施例２の杭抜き具５０により、地面に打ち込まれた杭Ｐを抜く場合、まず、台座７の溝３７に杭Ｐを通して、台座７を地面に載置する。そして、杭挿通部５５を杭Ｐに通して、ボルト６５をねじ込み本体５１を杭Ｐに固定する。
【００３０】
次に、操作棒５３を電動工具でねじ込み、台座７の受部３９に当接させ、さらに操作棒５３をねじ込む。これにより本体５１が上昇すると共に、本体５１に固定された杭Ｐも上昇して、杭Ｐを抜くことができる。
【００３１】
本発明の杭抜き具は、上記各実施例の構成に限らず、適宜変更可能である。
上記各実施例では、操作棒を２本設けたが、１本または３本以上としてもよい。
また、杭への本体の固定方法は、適宜変更可能である。
【符号の説明】
【００３２】
１  杭抜き具
３  本体
５  操作棒
７  台座
９  支持片
１１  支持片
３９  受部
５１  本体
５３  操作棒
【図１】
2013044110.tif 000003
【図２】
2013044110.tif 000004
【図３】
2013044110.tif 000005
【図４】
2013044110.tif 000006
【図５】
2013044110.tif 000007
【図６】
2013044110.tif 000008
【図７】
2013044110.tif 000009
【図８】
2013044110.tif 000010
【図９】
2013044110.tif 000011
【図１０】
2013044110.tif 000012
【図１１】
2013044110.tif 000013
【図１２】
2013044110.tif 000014
【図１３】
2013044110.tif 000015
【図１４】
2013044110.tif 000016
【図１５】
2013044110.tif 000017